【手続補正書】
【提出日】平成25年1月22日(2013.1.22)
【手続補正１】
【補正対象書類名】特許請求の範囲
【補正対象項目名】全文
【補正方法】変更
【補正の内容】
【特許請求の範囲】
【請求項１】
複数の隣接したヘッダー領域を有するサマリーテーブルを表示するための、コンピュータに実装された方法であって、
第１の列のヘッダー領域に関連付けられた１またはそれ以上のデータフィールドの選択を受信することと、
第２の列のヘッダー領域に関連付けられた１またはそれ以上のデータフィールドの選択を受信することであって、前記第２の列のヘッダー領域に関連付けられた前記１又はそれ以上のデータフィールドの選択は前記第１の列のヘッダー領域に関連付けられた前記１又はそれ以上のデータフィールドの選択と異なる少なくとも１つのデータフィールドを有することと、
データソースから、前記第１の列ヘッダー領域に関連付けられた前記１またはそれ以上のデータフィールド及び前記第２の列ヘッダー領域に関連付けられた前記１またはそれ以上のデータフィールドに対する値を含むデータを読み取ることと、
前記サマリーテーブルをレンダリングするために、前記データソースからサマリーのレベルデータに前記データを変換することと、
前記サマリーテーブルにおける前記第１の列のヘッダー領域および前記第２の列のヘッダー領域をディスプレイデバイスにレンダリングすることであって、前記第１の列のヘッダー領域および前記第２の列のヘッダー領域は、前記関連付けられた１またはそれ以上のデータフィールドの選択からの値によりラベル付けされた異なる列のセットを含み、前記第１の列のヘッダー領域及び前記第２の列のヘッダー領域は前記サマリーテーブルにおいて互いに垂直に隣接して表示されることと
を含むことを特徴とする方法。
【請求項２】
統合ラベルが前記第１の列のヘッダー領域において表示されるように、前記第１の列のヘッダー領域に関連付けられたデータは、１の列にまとめられ得ることを特徴とする請求項１に記載のコンピュータに実装された方法。
【請求項３】
前記サマリーテーブルにおける前記第１の列のヘッダー領域に関して実施される動作は、前記第２の列のヘッダー領域の前記表示に影響しないことを特徴とする請求項１に記載のコンピュータに実装された方法。
【請求項４】
前記サマリーテーブルにおける行のヘッダー領域に関して実施される動作は前記第１および第２のヘッダー領域の前記表示に影響することと特徴とする請求項１に記載のコンピュータに実装された方法。
【請求項５】
前記サマリーテーブルの全体に実施される動作は、前記複数の隣接した前記第１および前記第２両方のヘッダー領域の前記表示に影響することを特徴とする請求項１に記載のコンピュータ実装の方法。
【請求項６】
前記サマリーテーブルは表計算プログラムにより前記表示装置にレンダリングされることを特徴とする請求項１に記載のコンピュータに実装された方法。
【請求項７】
前記データソースは前記表計算プログラムにおいて保持されたスプレッドシートを含むことを特徴とする請求項６に記載のコンピュータに実装された方法。
【請求項８】
格納されたコンピュータ実行可能な命令を有するコンピュータ読み取り可能な記憶媒体であって、コンピュータにより実行されるとき、
サマリーテーブルの第１の行のヘッダー領域に関連付けられた第１のデータフィールドの選択を受信することと、
前記サマリーテーブルの第２の行のヘッダー領域に関連付けられた第２のデータフィールドの選択を受信することであって、前記第２のデータフィールドの選択は前記第１のデータフィールドの選択と異なる少なくとも１つのデータフィールドを有することと、
データソースから、前記選択されたデータフィールドについての値を含むデータを読み取ることと、
前記サマリーテーブルをレンダリングするために、前記データソースからサマリーのレベルデータに前記データを変換することと、
前記サマリーテーブルにおける前記第１の行のヘッダー領域および前記第２の行のヘッダー領域をディスプレイデバイスにレンダリングすることであって、前記第１の行のヘッダー領域は前記第１のデータフィールドの選択からの値によりラベル付けされた異なる行のセットを含み、前記第２の行のヘッダー領域は前記第２のデータフィールドの選択からの値によりラベル付けされた異なる行のセットを含み、前記第１のヘッダー領域および前記第２のヘッダー領域は前記サマリーテーブルにおいて互いに水平に隣接してレンダリングされることと
をコンピュータにさせることを特徴とするコンピュータ読み取り可能な記憶媒体。
【請求項９】
前記サマリーテーブルにおける前記第１の行のヘッダー領域に関して実施される動作は、前記第２の行のヘッダー領域の前記表示に影響しないことを特徴とする請求項８に記載のコンピュータ読み取り可能な記憶媒体。
【請求項１０】
前記サマリーテーブルの行のヘッダー領域に関して実施される動作は、前記第１および前記第２両方の行のヘッダー領域の前記表示に影響することを特徴とする請求項８に記載のコンピュータ読み取り可能な記憶媒体。
【請求項１１】
前記サマリーテーブルの全体に実施される動作は、前記第１および前記第２両方の行のヘッダー領域の前記表示に影響することを特徴とする請求項８に記載のコンピュータ読み取り可能な記憶媒体。
【請求項１２】
複数の行のヘッダー領域又は列のヘッダー領域を有するサマリーテーブルを表示するシステムであって、前記システムは、
コンピュータと、
前記コンピュータに動作可能なように接続されるディスプレイデバイスと、
前記コンピュータに動作可能なように接続されるデータソースと、
前記コンピュータ上で実行するデータ分析プログラムモジュールであって、前記データ分析プログラムモジュールが、
第１の前記隣接する行のヘッダー領域または列のヘッダー領域に関連付けられたデータフィールドの第１の選択を受信し、
第２の前記隣接する行のヘッダー領域または列のヘッダー領域に関連付けられたデータフィールドの第２の選択を受信し、前記第２のデータフィールドの選択は前記第１のデータフィールドの選択とは異なる少なくとも１のデータフィールドを有し、
前記データフィールドについての値を含む前記データソースからデータを読み取り、
前記サマリーテーブルをレンダリングするために、前記データソースからサマリーのレベルデータに前記データを変換し、
前記サマリーテーブルにおける前記隣接する行のヘッダー領域又は列のヘッダー領域のそれぞれをディスプレイデバイスにレンダリングし、前記第１の隣接する行のヘッダー領域または列のヘッダー領域は前記データフィールドの第１の選択からの値によりラベル付けされた列または行の異なるセットを含み、前記第１の列の前記隣接するヘッダー領域または列のヘッダー領域は前記サマリーテーブルにおいて互いに隣接して表示され、前記第１の前記隣接する列のヘッダー領域または行のヘッダー領域に関して実施される動作は、前記サマリーテーブルにおける前記第２の前記隣接する列のヘッダー領域または行のヘッダー領域の前記表示に影響しない
ように動作可能である、データ分析プログラムモジュールと
を備えたことを特徴とするシステム。
【請求項１３】
前記データ分析プログラムモジュールは、前記隣接する行のヘッダー領域のそれぞれにおいて統合した行ラベルを表示するようさらに動作可能であり、統合した列のヘッダー領域は前記隣接する列のヘッダー領域のそれぞれにおいて表示されることを特徴とする請求項１２に記載のシステム。
【請求項１４】
前記データ分析プログラムモジュールは表計算プログラムを含み、前記データソースは前記表計算プログラムにおいて保持されたスプレッドシートを含むことを特徴とする請求項１２に記載のシステム。